(57)【要約】【課題】設計上の不具合箇所をユーザが容易に確認すること。【解決手段】設計支援装置１は、建物における部位又は部材の配置について設計の補正が必要となる補正条件に関する条件情報を格納する格納部１０と、建物における部位又は部材の配置に関する設計情報を取得する取得部１２と、取得部１２によって設計情報が取得された部位又は部材のうち、格納部１０によって格納された条件情報が示す条件を満たす部位又は部材を特定する特定部１３と、取得部１２によって取得された設計情報に基づいた設計図を表示すると共に、当該設計図に含まれる部位又は部材のうち特定部１３によって特定された部位又は部材を明示する表示部１４と、を備える。【選択図】図１
2018005407.tif 000002
【特許請求の範囲】
【請求項１】
建物における部位又は部材の配置について設計の補正が必要となる補正条件に関する条件情報を格納する格納手段と、
建物における部位又は部材の配置に関する配置情報を取得する取得手段と、
前記取得手段によって配置情報が取得された部位又は部材のうち、前記格納手段によって格納された条件情報が示す補正条件を満たす部位又は部材を特定する特定手段と、
前記取得手段によって取得された配置情報に基づいた部位又は部材の配置図を表示すると共に、当該部位又は部材の配置図に含まれる部位又は部材のうち前記特定手段によって特定された部位又は部材を明示する表示手段と、
を備える設計支援装置。
【請求項２】
条件情報は、設計の補正の方法に関する情報を含み、
前記特定手段は、特定した部位又は部材が満たす補正条件に関する条件情報に含まれる設計の補正の方法に関する情報を表示する、
請求項１に記載の設計支援装置。
【請求項３】
条件情報は、補正条件を示す情報を含み、
前記特定手段は、特定した部位又は部材が満たす補正条件に関する条件情報に含まれる補正条件を示す情報を表示する、
請求項１又は２に記載の設計支援装置。
【請求項４】
サーバからネットワークを介して条件情報を受信する受信手段をさらに備え、
前記格納手段は、前記受信手段によって受信された条件情報を格納する、
請求項１〜３の何れか一項に記載の設計支援装置。
【請求項５】
補正条件は、２つ以上の部位又は部材の配置関係に基づく設計の補正が必要となる条件である、請求項１〜４の何れか一項に記載の設計支援装置。
【請求項６】
建物における部位又は部材の配置について設計の補正が必要となる補正条件に関する条件情報を格納する格納手段を備える設計支援装置により実行される設計支援方法であって、
建物における部位又は部材の配置に関する配置情報を取得する取得ステップと、
前記取得ステップにおいて配置情報が取得された部位又は部材のうち、前記格納手段によって格納された条件情報が示す補正条件を満たす部位又は部材を特定する特定ステップと、
前記取得ステップにおいて取得された配置情報に基づいて表示された部位又は部材の配置図に含まれる部位又は部材のうち、前記特定ステップにおいて特定された部位又は部材を明示する表示ステップと、
を含む設計支援方法。
【発明の詳細な説明】
【技術分野】
【０００１】
本発明は、建物の設計上の不具合を確認するための設計支援装置及び設計支援方法に関する。
【背景技術】
【０００２】
下記特許文献１では、製品の製造現場において発生した不具合を二度と発生させないように支援する品質問題フォローシステムが開示されている。この品質問題フォローシステムでは、不具合の発生した製品や部品を特定する情報をデータベースに登録し、発生した不具合についての情報検索をユーザが行うことができるようにすることで、不具合を発生させないように支援する。
【先行技術文献】
【特許文献】
【０００３】
【特許文献１】特開２００３−１８７０６９号公報
【発明の概要】
【発明が解決しようとする課題】
【０００４】
建物の設計において、ＣＡＤ（Computer  Aided  Design）装置と呼ばれる、コンピュータの画面上で設計図を見ながら建物の設計を行うことができる設計支援装置が一般的に利用されている。ここで、設計支援装置において、設計の補正が必要となる等、設計上の不具合が発生する場合がある。上述の品質問題フォローシステムの技術を設計支援装置に適用すれば、設計上の不具合に関する情報をユーザが検索できるようにすることができる。しかしながら、画面上の設計図のどの箇所において不具合が発生しているのか、ユーザは容易に確認することができないという問題がある。
【０００５】
そこで、本発明は、かかる課題に鑑みて為されたものであり、設計上の不具合箇所をユーザが容易に確認することができる設計支援装置及び設計支援方法を提供することを目的とする。
【課題を解決するための手段】
【０００６】
上記課題を解決するため、本発明の設計支援装置は、建物における部位又は部材の配置について設計の補正が必要となる補正条件に関する条件情報を格納する格納手段と、建物における部位又は部材の配置に関する配置情報を取得する取得手段と、取得手段によって配置情報が取得された部位又は部材のうち、格納手段によって格納された条件情報が示す補正条件を満たす部位又は部材を特定する特定手段と、取得手段によって取得された配置情報に基づいた部位又は部材の配置図を表示すると共に、当該部位又は部材の配置図に含まれる部位又は部材のうち特定手段によって特定された部位又は部材を明示する表示手段と、を備える。
【０００７】
このような設計支援装置によれば、建物における部位又は部材の配置に関する配置情報に基づいた部位又は部材の配置図が表示される。さらに、部位又は部材の配置図に含まれる部位又は部材のうち、設計の補正が必要となる補正条件を満たす部位又は部材、すなわち、設計の補正が必要である部位又は部材が明示される。これにより、ユーザは、コンピュータの画面上で部位又は部材の配置図を見ながら、設計の補正が必要である部位又は部材を容易に確認することができる。つまり、設計上の不具合箇所をユーザが容易に確認することができる。
【０００８】
また、本発明の設計支援装置において、条件情報は、設計の補正の方法に関する情報を含み、特定手段は、特定した部位又は部材が満たす補正条件に関する条件情報に含まれる設計の補正の方法に関する情報を表示することとしてもよい。このような構成によれば、設計の補正が必要である部位又は部材が明示されると共に、設計の補正の方法に関する情報が表示されるため、ユーザは、設計の補正が必要である部位又は部材について容易かつ確実に設計の補正を行うことができる。
【０００９】
また、本発明の設計支援装置において、条件情報は、補正条件を示す情報を含み、特定手段は、特定した部位又は部材が満たす補正条件に関する条件情報に含まれる補正条件を示す情報を表示することとしてもよい。このような構成によれば、設計の補正が必要である部位又は部材が明示されると共に、補正条件を示す情報が表示されるため、ユーザは、設計の補正が必要である部位又は部材について、設計の補正が必要である判定された条件を容易に確認することができる。
【００１０】
また、本発明の設計支援装置において、サーバからネットワークを介して条件情報を受信する受信手段をさらに備え、格納手段は、受信手段によって受信された条件情報を格納することとしてもよい。このような構成によれば、例えば、最新の条件情報をサーバにて一元管理することで、設計支援装置では最新の条件情報を受信して利用することができるため、ユーザは、最新の条件情報に基づく設計の不具合を確認することができる。
【００１１】
また、本発明の設計支援装置において、補正条件は、２つ以上の部位又は部材の配置関係に基づく設計の補正が必要となる条件であることとしてもよい。このような構成によれば、ユーザは、２つ以上の部位又は部材の配置関係に基づく設計の不具合を確認することができる。
【００１２】
ところで、本発明は、上記のように設計支援装置の発明として記述できる他に、以下のように設計支援方法としても記述することができる。これはカテゴリが異なるだけで、実質的に同一の発明であり、同様の作用及び効果を奏する。
【００１３】
即ち、本発明に係る設計支援方法は、建物における部位又は部材の配置について設計の補正が必要となる補正条件に関する条件情報を格納する格納手段を備える設計支援装置により実行される設計支援方法であって、建物における部位又は部材の配置に関する配置情報を取得する取得ステップと、取得ステップにおいて配置情報が取得された部位又は部材のうち、格納手段によって格納された条件情報が示す補正条件を満たす部位又は部材を特定する特定ステップと、取得ステップにおいて取得された配置情報に基づいて表示された部位又は部材の配置図に含まれる部位又は部材のうち、特定ステップにおいて特定された部位又は部材を明示する表示ステップと、を含む。
【発明の効果】
【００１４】
本発明によれば、設計上の不具合箇所をユーザが容易に確認することができる。
【図面の簡単な説明】
【００１５】
【図１】本発明の実施形態に係る設計支援装置の機能ブロック図である。
【図２】本発明の実施形態に係る設計支援装置のハードウェア構成を示す図である。
【図３】条件情報のテーブル例を示す図である。
【図４】本発明の実施形態に係る設計支援装置のアプリケーション画面例を示す図（その１）である。
【図５】本発明の実施形態に係る設計支援装置のアプリケーション画面例を示す図（その２）である。
【図６】本発明の実施形態に係る設計支援装置のアプリケーション画面例を示す図（その３）である。
【図７】本発明の実施形態に係る設計支援装置のアプリケーション画面例を示す図（その４）である。
【図８】本発明の実施形態に係る設計支援装置で実行される処理（設計支援方法）を示すフローチャートである。
【発明を実施するための形態】
【００１６】
以下、図面とともに本発明による設計支援装置及び設計支援方法の好適な実施形態について詳細に説明する。なお、図面の説明においては同一要素には同一符号を付し、重複する説明を省略する。
【００１７】
本発明の実施形態に係る設計支援装置１はコンピュータ装置であり、いわゆるＣＡＤと呼ばれるコンピュータによる設計支援を受け、コンピュータの画面上で設計図を見ながら建物の設計を行うことができる装置である。建物は、好適な例として、予め規格化（標準化）された部位又は部材を組み合わせて構成される工業化住宅である。設計支援装置１は、ユーザによって入力された建物の平面図の情報、及び構造計算された上で特定された構造躯体（梁、柱等）に対し、実際に当該建物を建てるのに必要な建物別の詳細な部位又は部材を自動で拾い出し、設計図を作成する。
【００１８】
ここで、自動で拾い出された部位又は部材の配置に誤りがあると、その建物の工事に支障をきたす。この誤りを発生させる要因としては以下が挙げられる。すなわち、自動で拾い出すロジックの誤り、コンピュータプログラムの不具合、あとから発覚した部位又は部材の配置ルールの誤り、建築法規等の改定などである。
【００１９】
そこで設計支援装置１は、自動で拾い出された部位又は部材のうち、配置についての設計の補正が必要となる部位又は部材をユーザに提示する機能を備える。それにより、ユーザは、提示された部位又は部材について、正しい配置になるよう設計の補正作業を行うことができる。以下、当該機能の詳細について説明する。
【００２０】
なお、本実施形態において、部位とは、建物のある部分や領域を示す。部位の具体例として、外壁、屋根、軒、ベランダ、外廊下、部屋、ピロティ、住戸、収納及び吹抜き等が挙げられる。また、本実施形態において、部材とは、部位を構成する部品や素材、又は、それ自体で機能を持つ製品を示す。部材（部位を構成する部品や素材）の具体例として、柱、梁、下地材、ビス、石膏ボード、クロス及びタイル等が挙げられ、部材（それ自体で機能を持つ製品）の具体例として、玄関ドア、建具、キッチンセット、便器及び照明等が挙げられる。なお、本実施形態の説明で用いている記載「部位又は部材」は、「部位及び部材の少なくとも一方」に適宜読み替えてもよい。
【００２１】
図１は、設計支援装置１の機能ブロック図である。図１に示す通り、設計支援装置１は、格納部１０（格納手段）、受信部１１（受信手段）、取得部１２（取得手段）、特定部１３（特定手段）、及び表示部１４（表示手段）を含んで構成される。
【００２２】
設計支援装置１は、ＣＰＵ等のハードウェアから構成されているものである。図２は、設計支援装置１のハードウェア構成の一例を示す図である。図１に示される設計支援装置１は、物理的には、図２に示すように、ＣＰＵ１００、主記憶装置であるＲＡＭ１０１及びＲＯＭ１０２、ディスプレイ、キーボード、マウス等の入出力装置１０３、外部装置とネットワークを介した通信が可能な通信モジュール１０４、及びハードディスク等の補助記憶装置１０５等を含むコンピュータシステムとして構成されている。
【００２３】
図１に示す設計支援装置１の各機能ブロックの機能は、図２に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００２４】
以下、図１に示す設計支援装置１の各機能ブロックについて説明する。
【００２５】
格納部１０は、建物における部位又は部材の配置について設計の補正が必要となる補正条件に関する条件情報を格納する。補正条件の一例としては、ある特定の部位又は部材が（後述の設計情報において）不適切に存在するという条件が挙げられる。その場合、当該特定の部位又は部材が不適切に存在すれば、当該特定の部位又は部材について設計の補正が必要であることを示す。補正条件は、２つ以上の部位又は部材（例えば、２つである場合は「部位」と「部位」、「部位」と「部材」、及び「部材」と「部材」の３パターンの組み合わせがある）の配置関係に基づく設計の補正が必要となる条件であってもよい。そのような補正条件の一例としては、ある特定の部位又は部材と、別のある特定の部位又は部材とが、（後述の設計情報において）予め定められた所定の配置関係にあるという条件が挙げられる。所定の配置関係の具体例としては、重なる、内接する、外接する、点接する、平行に接続する、垂直に接続するなどが挙げられる。補正条件に関する条件情報とは、例えば、補正条件が予め定められた所定のプログラミング言語で記載されたテキストファイルである。なお、補正条件は建物の仕様や種別等により異なるため、条件情報は、扱う建物ごとに存在してもよい。
【００２６】
条件情報は、設計の補正の方法に関する情報を含んでもよい。例えば、上述のように条件情報の補正条件が、ある特定の部位又は部材が不適切に存在するという条件の場合、当該条件情報は、設計の補正の方法に関する情報として、当該特定の部位又は部材を代替となる別の部位又は部材に置き換えることをユーザに指示する旨のテキストを含む。また例えば、上述のように条件情報の補正条件がある特定の部位又は部材と、別のある特定の部位又は部材とが、予め定められた所定の配置関係にあるという条件の場合、当該条件情報は、設計の補正の方法に関する情報として、何れか一つ以上の部位又は部材の配置を変更することをユーザに指示する旨のテキストを含む。
【００２７】
条件情報は、補正条件を示す情報を含んでもよい。補正条件を示す情報の一例としては、補正条件をユーザにとってわかりやすい自然言語で解説したテキストが挙げられる。また例えば、上述のように条件情報の補正条件がプログラミング言語で記載されたテキストファイルである場合、プログラミング言語で記載された補正条件自体が、当該条件情報が含む補正条件を示す情報であってもよい。
【００２８】
図３は、格納部１０によって格納された条件情報のテーブル例を示す図である。図３に示すテーブル例において、各レコードが一つの条件情報に対応する。「条件ＩＤ」は、条件情報を識別する情報である。「要素１」及び「要素２」は、補正条件に出てくる特定の部位又は部材である。「補正条件」は、上述の補正条件であり、要素１（かつ要素２）の配置について設計の補正が必要となる条件である。「補正の方法に関する情報」は、上述の設計の補正の方法に関する情報である。例えば、条件ＩＤが「＃０００１」の条件情報は、「玄関ドアＡ」が存在する場合に設計の補正が必要となることを示しており、補正の方法としては「玄関ドアＡ」を「玄関ドアＢ」に変更することが示されている。また例えば、条件ＩＤが「＃０００２」の条件情報は、「梁Ｘ」と「梁Ｙ」とが直角に接続されている場合に設計の補正が必要となることを示しており、補正の方法としては「梁Ｘ」と「梁Ｙ」とを平行に接続することが示されている。なお、一つの条件情報に対して、補正の方法に関する情報が複数含まれていてもよい。また、条件情報は、各ユーザによる補正の方法の選択に関する情報、例えばユーザによって各補正の方法が選択された回数をさらに含んでもよい。
【００２９】
以下では、補正条件のその他の具体例を挙げる。部位単独の補正条件の具体例は以下の通りである。
・「切り妻形状の「屋根」の勾配がＸ度未満である」
・「「ベランダ」の奥行が○○ｍｍより大きい」
・「「洋室」の天井高が○○ｍｍより小さい」
【００３０】
部材単独の補正条件の具体例は以下の通りである。
・「収納の中に設置する「ハンガーパイプ」の荷重が最大荷重Ｘｋｇを超える」
・「ベランダ手摺の「支柱」がＸｍｍピッチ以内でない」
・「外壁の「吹付」の塗装の厚さがＸｍｍ未満である」
【００３１】
部位と部位の補正条件の具体例は以下の通りである。
・「「部屋」の大きさに対し、「収納」の大きさがＸ％未満である」
・「異なる「住戸」の堺に「界壁」が設置されていない」
・「「吹抜き」が「外壁」で囲まれた面積のＸ／Ｙを超える」
・「「外壁」の出隅と入隅がＸｍｍ以上離れていない」
【００３２】
部位と部材の補正条件の具体例は以下の通りである。
・「「和室」に「キッチンセット」が置いてある」
・「「トイレ」に「便器」が設置されていない」
・「「玄関ドア」の屋外側に「軒」（または「屋根」）がない」
・「「玄関」の床に品番Ｘの「タイル」が設置されている」
・「「屋根」の下の斜め天井部分に「ユニットバス」が設置されている」
・「「外壁」の裏側にＸｍｍ以上の厚みの「断熱材」が設置されていない」
【００３３】
部材と部材の補正条件の具体例は以下の通りである。
・「「吊戸棚」の裏に補強のための「ベニヤ」がない」
・「外壁の入隅部に「玄関ドア」を設置するための専用の「固定金物」がない」
・「「冷蔵庫」に専用の「コンセント」がない」
・「「玄関ドア」と「玄関収納」とがＸｍｍ以内に設置されている」
・「「ユニットバス」の出入口の前に「点検口」がＸｍｍ未満の距離で設置されている」
・「「手摺」を設置する際にＸｍｍ以上の長さの「ビス」がＹ本ない」
以上が補正条件のその他の具体例である。
【００３４】
受信部１１は、外部のサーバからネットワークを介して条件情報を受信し、格納部１０に出力する。例えば、外部のサーバは最新の条件情報を一元管理しており、複数の設計支援装置１に対して最新の条件情報を送信してもよい。そして格納部１０は、受信部１１によって受信（入力）された条件情報を格納する。なお、外部のサーバは、複数の各設計支援装置１から不具合情報を受信して蓄積し、それらに基づいて条件情報を更新してもよい。また、受信部１１は必須の構成要素ではなく、格納部１０はユーザによって登録された条件情報のみを格納してもよい。
【００３５】
取得部１２は、建物における部位又は部材の配置に関する設計情報（配置情報）を取得する。設計情報には、建物の一般的な設計図（部位又は部材の配置図）を画面に表示するために必要な情報が含まれている。例えば、設計情報には、建物における部位又は部材を識別する識別情報、建物における部位又は部材の名称情報、建物における部位又は部材が配置されている位置や方向に関する配置情報などが含まれる。なお、設計情報は、建物における部位及び部材の両方の配置に関するものであってもよい。取得部１２は、取得した設計情報を後述の特定部１３及び表示部１４に出力する。
【００３６】
特定部１３は、取得部１２によって設計情報が取得された部位又は部材のうち、格納部１０によって格納された条件情報が示す条件を満たす部位又は部材を特定する。より具体的には、まず、特定部１３は、取得部１２から入力された設計情報を取得すると共に、格納部１０によって格納された条件情報を取得する。次に、特定部１３は、取得された設計情報に含まれる部位又は部材のそれぞれについて、取得された条件情報に含まれる各補正条件を満たすか否かを判定する。特定部１３は、部位又は部材が補正条件を満たすと判定した場合、当該部位又は部材を特定する。部位又は部材を特定するとは、例えば、当該部位又は部材の識別情報をリスト化することである。特定部１３は、特定された部位又は部材に関する情報（例えば、特定された部位又は部材の識別情報のリスト）を後述の表示部１４に出力する。
【００３７】
特定部１３は、特定した部位又は部材が満たす補正条件に関する条件情報に含まれる設計の補正の方法に関する情報を表示してもよい。より具体的には、特定部１３は、取得された設計情報に含まれる部位又は部材について、取得された条件情報に含まれる補正条件を満たすと判定した場合、当該条件情報に含まれる設計の補正の方法に関する情報を、入出力装置１０３の一つであるディスプレイに表示する。例えば、特定部１３は、取得された設計情報に含まれる「玄関ドアＡ」について、取得された図３に示すテーブル例の条件情報のうち、条件ＩＤが「＃００００１」の条件情報に含まれる補正条件を満たすと判定し、当該条件情報に含まれる設計の補正の方法に関する情報であるテキスト「玄関ドアＡを玄関ドアＢに変更する」を、入出力装置１０３の一つであるディスプレイに表示する。
【００３８】
一つの条件情報に対して補正の方法に関する情報が複数含まれている場合には、特定部１３は、入出力装置１０３の一つであるディスプレイに、当該複数の補正の方法に関する情報を同時に表示してもよい。例えば、特定部１３は、「玄関ドアＡを玄関ドアＢに変更する」という第１の補正の方法に関する情報と「玄関ドアの位置を外壁に沿ってＸｍｍずらす」という第２の補正の方法に関する情報とを同時にディスプレイに表示してもよい。この場合、ユーザがどちらの補正の方法を選択しても、不具合を解消できる。特定部１３は、さらに、過去に同様の不具合が生じた際に複数のユーザがどの補正の方法を選択したかに関する、条件情報に含まれる各ユーザによる補正の方法の選択に関する情報を、対応する補正の方法に関する情報とともにディスプレイに表示してもよい。例えば、特定部１３は、補正の方法として過去に選択された回数を、その補正の方法に関する情報と同時に表示したり、選択された回数が多い順に、補正の方法に関する情報を並べかえてディスプレイに表示したりしてもよい。これにより、ユーザは、過去に複数のユーザがどの補正の方法を選択したかに関する情報を把握した上で、補正の方法を選択することができる。
【００３９】
特定部１３は、特定した部位又は部材が満たす補正条件に関する条件情報に含まれる補正条件を示す情報を表示してもよい。より具体的には、特定部１３は、取得された設計情報に含まれる部位又は部材について、取得された条件情報に含まれる補正条件を満たすと判定した場合、当該条件情報に含まれる補正条件を示す情報を、入出力装置１０３の一つであるディスプレイに表示する。例えば、特定部１３は、取得された設計情報に含まれる「玄関ドアＡ」について、取得された図３に示すテーブル例の条件情報のうち、条件ＩＤが「＃００００１」の条件情報に含まれる補正条件を満たすと判定し、当該条件情報に含まれる補正条件を示す情報であるテキスト「玄関ドアＡが存在する」を、入出力装置１０３の一つであるディスプレイに表示する。
【００４０】
表示部１４は、取得部１２によって取得された設計情報（配置情報）に基づいた設計図（部位又は部材の配置図）を表示すると共に、当該設計図に含まれる部位又は部材のうち特定部１３によって特定された部位又は部材を明示する。より具体的には、表示部１４は、取得部１２から入力された設計情報に基づいた設計図を、入出力装置１０３の一つであるディスプレイに表示する。設計情報に基づいた設計図の表示は、従来のＣＡＤ装置などで実現されている一般的な技術を用いて行う。また、表示部１４は、設計図に含まれる部位又は部材のうち、特定部１３から入力された、特定された部位又は部材に関する情報が示す部位又は部材について、ユーザが当該部位又は部材を容易に識別できるよう、明示する。部位又は部材の明示方法の具体例としては、予め定められた又はユーザが指定した所定の色にて当該部位又は部材を表示することや、当該部位又は部材周辺を拡大表示することが挙げられる。なお、設計図には、部位及び部材の両方の情報が含まれていてもよい。
【００４１】
以下、図４〜７を用いて、設計支援装置１の各機能を実行した際の、入出力装置１０３の一つであるディスプレイに表示されるアプリケーション画面例について説明する。なお、上述の設計支援装置１の各機能は、設計支援装置１にインストールしたアプリケーションによって実現されるものとする。
【００４２】
図４は、初期状態のアプリケーション画面Ｓである。図４に示す通り、初期状態では、アプリケーション画面Ｓには「設計情報の取得」ボタンＢ１と、設計図を表示する領域Ｄとが表示されている。初期状態において、ユーザがボタンＢ１を押下すると、取得部１２及び表示部１４による処理が実行され、図５に示すアプリケーション画面Ｓのように、領域Ｄにおいて、取得部１２により取得された設計情報に基づいた設計図Ｈが表示部１４により表示される。また、「設計の補正チェック」ボタンＢ２も合わせて表示される。
【００４３】
次に、図５に示す状態において、ユーザがボタンＢ２を押下すると、特定部１３による処理が実行され、図６に示すアプリケーション画面Ｓのように、格納部１０によって格納された条件情報のうち補正条件を満たす条件情報のリスト、すなわち補正すべき設計上の不具合のリストであるテーブルＴが表示される。特定部１３により表示されるテーブルＴには、補正の方法や補正条件も含まれる。
【００４４】
次に、図６に示す状態において、ユーザがテーブルＴのうち一つの条件情報として、条件ＩＤが「＃０００１」の条件情報を選択すると、特定部１３により当該条件情報に対応する特定された部材である「玄関ドアＡ」に関する情報が表示部１４に出力され、表示部１４により、図７に示すアプリケーション画面Ｓのように、設計図Ｈ内において、「玄関ドアＡ」に対応する箇所（図７の符号Ｅ）が明示される。なお、図７に示す状態において、ユーザがテーブルＴのうち別の条件情報を選択すると、当該別の条件情報に対応する特定された部位又は部材が明示される。例えば、所定の色にて、当該部位又は部材が明示される。また、一つの条件情報に対応する特定された部位又は部材が複数ある場合は、それら全てが明示される。
【００４５】
続いて、図８に示すフローチャート図を用いて、本実施形態に係る設計支援装置１における設計支援方法の処理について説明する。
【００４６】
まず、取得部１２により、建物の部位又は部材の配置に関する設計情報が取得される（ステップＳ１、取得ステップ）。次に、特定部１３により、Ｓ１において取得された設計情報に含まれる部位又は部材のうち、格納部１０によって格納された条件情報が示す条件を満たす部位又は部材が特定される（ステップＳ２、特定ステップ）。次に、表示部１４により、Ｓ１において取得された設計情報に基づいて表示された設計図に含まれる部位又は部材のうち、Ｓ２において特定された部位又は部材が明示され（ステップＳ３、表示ステップ）、処理を終了する。
【００４７】
次に、本実施形態のように構成された設計支援装置１の作用効果について説明する。
【００４８】
本実施形態の設計支援装置１によれば、建物における部位又は部材の配置に関する設計情報（配置情報）に基づいた設計図（部位又は部材の配置図）が表示されると共に、設計図に含まれる部位又は部材のうち、設計の補正が必要となる補正条件を満たす部位又は部材、すなわち、設計の補正が必要である部位又は部材が明示される。これにより、ユーザは、コンピュータの画面上で設計図を見ながら、設計の補正が必要である部位又は部材を容易に確認することができる。つまり、設計上の不具合箇所をユーザが容易に確認することができ、不具合の位置や箇所数を把握しやすくなる。
【００４９】
また、本実施形態の設計支援装置１によれば、設計の補正が必要である部位又は部材が明示されると共に、設計の補正の方法に関する情報が表示されるため、ユーザは、設計の補正が必要である部位又は部材について容易かつ確実に設計の補正を行うことができる。
【００５０】
また、本実施形態の設計支援装置１によれば、設計の補正が必要である部位又は部材が明示されると共に、補正条件を示す情報が表示されるため、ユーザは、設計の補正が必要である部位又は部材について、設計の補正が必要である判定された条件を容易に確認することができる。
【００５１】
また、本実施形態の設計支援装置１によれば、受信部１１を備えることで、例えば、最新の条件情報をサーバにて一元管理することで、設計支援装置では最新の条件情報を受信して利用することができるため、ユーザは、最新の条件情報に基づく設計の不具合を確認することができる。
【００５２】
また、本実施形態の設計支援装置１によれば、補正条件が、２つ以上の部位又は部材の配置関係に基づく設計の補正が必要となる条件である場合、ユーザは、２つ以上の部位又は部材の配置関係に基づく設計の不具合を確認することができる。
【００５３】
以上のように、本実施形態の設計支援装置１によれば、建物を建てるのに必要な建物の詳細な部位又は部材を自動で拾い出した場合でも、設計の補正が必要である部位又は部材を容易に確認することができる。それにより、補正漏れを防止すると共に、補正作業の時間を短縮することができる。また、そのような設計支援装置１を用いて作成された設計図を用いれば、建物の建築現場に余剰のない正確な部位又は部材を搬入することができ、建物の工事に支障をきたすことはなくなる。
【符号の説明】
【００５４】
１…設計支援装置、１０…格納部、１１…受信部、１２…取得部、１３…特定部、１４…表示部。
【図１】
2018005407.tif 000003
【図２】
2018005407.tif 000004
【図３】
2018005407.tif 000005
【図４】
2018005407.tif 000006
【図５】
2018005407.tif 000007
【図６】
2018005407.tif 000008
【図７】
2018005407.tif 000009
【図８】
2018005407.tif 000010